(57)【要約】【課題】投擲時の操作性を向上させる。【解決手段】ロータ２側に設けられ、支持部材２ｄ，２ｅの釣糸放出位置への揺動操作に連動してロータ２の回転を規制する位置に移動する、弾性変形可能に設けた規制部材６０と、リール本体１側に突設され、規制部材６０の移動されたロータ２の巻き取り方向への回転により、規制部材６０に衝接してロータ２に回転抵抗力を一時的に付与するとともに規制部材６０の弾性変形を許容して規制部材６０が乗り越え可能とされた第１衝接手段と、第１衝接手段を乗り越えて弾性復元した規制部材６０が衝接してロータ２の巻き取り方向への回転を規制する第２衝接手段とを具備したことを特徴とする。【選択図】図２
2008237131.tif 000002
【特許請求の範囲】
【請求項１】
リール本体に回転可能に支持され、スプールに釣糸を案内する釣糸案内部を備えた支持部材が釣糸巻き取り位置と釣糸放出位置とに揺動操作可能に設けられたロータと、
前記リール本体に回転可能に支持されたハンドルの回転操作によって前記ロータを駆動する巻き取り駆動機構と、を有する魚釣用スピニングリールであって、
前記ロータ側に設けられ、前記支持部材の釣糸放出位置への揺動操作に連動して前記ロータの回転を規制する位置に移動する、弾性的に変位可能に付勢された規制部材と、
前記リール本体側に突設され、前記規制部材の移動された前記ロータの巻き取り方向への回転により、前記規制部材に衝接して前記ロータに回転抵抗力を一時的に付与するとともに前記規制部材の変位を許容して当該規制部材が乗り越え可能とされた第１衝接手段と、
前記第１衝接手段の近傍に間隔を隔てて前記リール本体に突設され、前記第１衝接手段を乗り越えて復元した前記規制部材が衝接して前記ロータの巻き取り方向への回転を規制する第２衝接手段とを具備したことを特徴とする魚釣用スピニングリール。
【請求項２】
前記第１衝接手段と前記第２衝接手段との間には、前記規制部材の復元方向に段差状にずれた形態とされた規制部材受け面が設けられており、前記第１衝接手段を乗り越えて復元した前記規制部材が前記規制部材受け面に当接することを特徴とする請求項１または請求項２に記載の魚釣用スピニングリール。
【請求項３】
前記規制部材受け面に前記規制部材が位置した状態で、前記第２衝接手段が前記ロータの釣糸巻き取り方向の回転を規制するとともに、前記第１衝接手段が前記ロータの釣糸放出方向の回転を規制することを特徴とする請求項２に記載の魚釣用スピニングリール。
【発明の詳細な説明】
【技術分野】
【０００１】
本発明は、魚釣用スピニングリールに関する。
【背景技術】
【０００２】
従来の一般的な魚釣用スピニングリールは、リール本体に回転可能に支持されたロータに釣糸案内部を有する支持部材が設けられており、この支持部材が釣糸巻き取り位置から釣糸放出位置へ回転可能に支持された構成となっている。そして、ロータは、ハンドルを回転操作することで、リール本体内に収容された駆動機構を介して回転駆動されるようになっており、また、駆動機構によって往復動されるスプールに対して、釣糸が釣糸案内部を介して巻回されるようになっている。
【０００３】
そして、釣糸放出時には、支持部材を釣糸巻き取り位置から釣糸放出位置へ起こす操作を行って釣糸を放出し、釣糸放出後には、支持部材を元の釣糸巻き取り位置に返してハンドルを回転操作することにより釣糸案内部を介してスプールに釣糸が巻回されるようになっている。
【０００４】
ところで、このような釣糸放出時において、釣竿をスイングさせる勢いによって不意にロータが回転することがあり、ロータの回転でベール復帰機構が機能して支持部材が釣糸巻き取り位置へ誤復帰し、急激に仕掛けの放出が止まってしまうことがあった。このような場合には、糸切れが生じる問題があった。
【０００５】
そこで、従来では、支持部材の釣糸放出操作に連動する規制部材をロータ側に設け、これをリール本体側に設けた規制部材に当接させて、釣糸巻き取り方向にロータが回転するのを規制するとともに、釣糸放出方向にロータが回転するのを一方向クラッチ等を用いて規制するようにして、釣糸のピックアップ可能な位置にロータを位置規制する技術が開示されている（例えば、特許文献１参照）。
【０００６】
しかしながら、このような魚釣用スピニングリールでは、実釣り時に、例えば、ロータを釣糸放出方向に回転させながら竿先からの仕掛けの垂らし長さを調節するような場合、次のような不具合が生じる虞がある。つまり、垂らし長さを調節した後に、支持部材を起こし、ロータを釣糸巻き取り方向に回転させて釣糸のピックアップ可能な位置に位置規制する操作を行った後、一方向クラッチを作動させずに投擲を行ってしまうと、不用意にロータが釣糸放出方向へ逆転することがあり、ロータ側およびリール本体側の規制部材を損傷してしまう虞があった。
【０００７】
また、前記魚釣用スピニングリールでは、釣糸放出位置にあるロータを釣糸巻き取り方向へ回転させてロータ側の規制部材がリール本体側の規制部材に当接するまでの回転操作と、一方向クラッチを作動させることによる相互作用によって、ロータを位置規制する構造であるため、一連の釣糸放出時の操作の中でロータが確実に位置規制されたか否かを操作者が認識し難く、確認のために再度、ロータの回転操作をやり直してしまう等、投擲時の操作性に難点があった。
【０００８】
また、魚釣用スピニングリールにおいて、投擲時の操作性の向上を図るために軽量化を図りたいという要請があった。
【特許文献１】特開２０００−２８１８７３号公報
【発明の開示】
【発明が解決しようとする課題】
【０００９】
本発明は、前記諸問題を解決するためになされたものであり、魚釣用スピニングリールにおいて、投擲時の操作性を向上させることのできる新規な構造を有する魚釣用スピニングリールを提供することを課題とする。
【課題を解決するための手段】
【００１０】
このような課題を解決する本発明の魚釣用スピニングリールは、リール本体に回転可能に支持され、スプールに釣糸を案内する釣糸案内部を備えた支持部材が釣糸巻き取り位置と釣糸放出位置とに揺動操作可能に設けられたロータと、前記リール本体に回転可能に支持されたハンドルの回転操作によって前記ロータを駆動する巻き取り駆動機構と、を有する魚釣用スピニングリールであって、前記ロータ側に設けられ、前記支持部材の釣糸放出位置への揺動操作に連動して前記ロータの回転を規制する位置に移動する、弾性的に変位可能に付勢された規制部材と、前記リール本体側に突設され、前記規制部材の移動された前記ロータの巻き取り方向への回転により、前記規制部材に衝接して前記ロータに回転抵抗力を一時的に付与するとともに前記規制部材の変位を許容して当該規制部材が乗り越え可能とされた第１衝接手段と、前記第１衝接手段の近傍に間隔を隔てて前記リール本体に突設され、前記第１衝接手段を乗り越えて復元した前記規制部材が衝接して前記ロータの巻き取り方向への回転を規制する第２衝接手段とを具備したことを特徴とする。
ここで「衝接」としては、衝撃をもって接することの他、ロータの巻き取り方向への回転力の大きさに応じて、場合によっては必ずしも強い衝撃を有さずに接することや、緩く当たるようにして接すること等がある。
【００１１】
この魚釣用スピニングリールによれば、釣糸案内部を備えた支持部材を釣糸放出位置へ揺動操作してロータを巻き取り方向へ回転させると、リール本体側に突設された第１衝接手段にロータ側の規制部材が衝接してロータに回転抵抗力が一時的に付与されつつ、規制部材が第１衝接手段を乗り越える。これにより、ロータが第２衝接手段に近づいたことが、規制部材と第１衝接手段との衝接、およびこれを乗り越えるときの回転抵抗力によって、ロータを回転操作している手を伝わって操作者に体感的に伝えられる。そして、規制部材の変位が許容されて規制部材が第１衝接手段を乗り越えると、規制部材は、復元して第１衝接手段の近傍に間隔を隔ててリール本体に突設された第２衝接手段に衝接する。これによって、ロータが第２衝接手段まで回転したことが規制部材と第２衝接手段との衝接により、ロータを回転操作している手を伝わって操作者に体感的に伝えられる。
つまり、ロータを巻き取り方向へ回転させた際に、規制部材が第２衝接手段に衝接する前の段階で、第１衝接手段に衝接することとなり、また、これを乗り越える際に伝わる一時的な回転抵抗力によって、操作者は、第２衝接手段に近づいたことを認識することができる。したがって、第２衝接手段に規制部材が衝接する位置で、容易にロータの巻き取り方向への回転を止めることができる。これにより、第２衝接手段に規制部材が衝接する位置で、例えば、魚釣用スピニングリールに通常設けられている一方向クラッチ等を操作することによって、ロータを位置規制することができ、投擲時のロータの不用意な回転を規制することができる。
これによって、投擲時の操作性の向上を図ることができる魚釣用スピニングリールが得られる。
また、釣糸のピックアップが可能となる位置と、第２衝接手段に規制部材が衝接する位置とを対応させることにより、投擲時の操作性をより向上することができる。
【００１２】
また、第２衝接手段に規制部材が衝接する位置（以下、回転規制位置という）に確実にロータを停止させることができるので、従来のように、ロータの回転操作をやり直して再度確認する等の煩雑な操作を繰り返す必要もない。したがって、投擲時の操作性を向上させることができる。
【００１３】
また、規制部材は第１衝接手段を乗り越えて復元して第２衝接手段に衝接する構成であるので、復元した後は、規制部材が第１衝接手段と第２衝接手段との間に好適に保持される状態となり、従来のように、実釣り時に、ロータを釣糸放出方向に回転させながら竿先からの仕掛けの垂らし長さを調節した後に、例えば、一方向クラッチ等を作動させずに、投擲を行っても、不用意にロータが釣糸放出方向へ逆転してしまうことがなくなる。したがって、不注意な投擲に対してもロータやリール本体側の規制部材等が損傷することがなく、投擲時の操作性に優れた魚釣用スピニングリールが得られる。
【００１４】
また、本発明は、前記第１衝接手段と前記第２衝接手段との間に、前記規制部材の復元方向に段差状にずれた形態とされた規制部材受け面が設けられており、前記第１衝接手段を乗り越えて復元した前記規制部材が前記規制部材受け面に当接する構成とするのがよい。
【００１５】
この魚釣用スピニングリールによれば、規制部材が第１衝接手段を乗り越えて復元することで規制部材受け面に当接するようになっているので、その規制部材の当接によって節度感のある音が発せられたり弾性振動が生じたりすることとなり、その音や振動をもって規制部材が回転規制位置に来たことを操作者に報知することができる。したがって、操作者は、規制部材が回転規制位置に来たことを確実に認識することができ、投擲時の操作性に優れた魚釣用スピニングリールが得られる。また、音や振動をもって規制部材が回転規制位置に来たことを認識することができるので、手元をいちいち目視せずに操作することが可能となり、投擲時の操作性がより向上するようになる。
【００１６】
また、前記規制部材受け面に前記規制部材が位置した状態で、前記第２衝接手段が前記ロータの釣糸巻き取り方向の回転を規制するとともに、前記第１衝接手段が前記ロータの釣糸放出方向の回転を規制する構成とするのがよい。
【００１７】
この魚釣用スピニングリールによれば、ロータの釣糸巻き取り方向の回転が第２衝接手段によって規制され、かつ、ロータの釣糸放出方向の回転が第１衝接手段によって規制されることとなるので、規制部材が復元した後は、第１衝接手段と第２衝接手段との間に規制部材が確実に保持されることとなり、例えば、一方向クラッチ等を作動させずに、投擲を行っても、不用意にロータが釣糸放出方向へ逆転してしまうことがより確実に防止される。したがって、不注意な投擲に対してもロータやリール本体側の規制部材等が損傷することがより確実に防止され、投擲時の操作性により一層優れた魚釣用スピニングリールが得られる。
【発明の効果】
【００１８】
本発明によれば、投擲時の操作性を向上させることのできる新規な構造を有する魚釣用スピニングリールが得られる。
【発明を実施するための最良の形態】
【００１９】
以下、本発明に係る魚釣用スピニングリールの実施の形態について図面を参照しながら説明する。
参照する図面において、図１は本発明の一実施形態に係る魚釣用スピニングリールとしてのスピニングリールの全体構成を示す図、図２は主要部の構成を示した部分断面図である。
なお、以下の例では、魚釣用スピニングリールとしてスピニングリールに適用した例を示すが、本発明の魚釣用スピニングリールの形態を限定する趣旨ではない。また、以下の説明において、「前、後」は、スピニングリールを図示しない釣竿に取り付けた状態を基準とする。つまり、後記するスプール３が設けられる側が「前」側であり、後記する切換部材２１が設けられる側が「後」側である。
【００２０】
図１に示すように、主として、魚釣用スピニングリールは、図示しない釣竿に装着するための脚部１Ａが形成されたリール本体１と、リール本体１の前方に回転可能に設けられたロータ２と、このロータ２の回転運動と同期して前後方向移動可能に設けられたスプール３とを有して構成される。
【００２１】
リール本体１には、図示しない軸受を介してハンドル軸４が回転可能に支持されており、その図示しない突出端部には、巻き取り操作されるハンドル５が取り付けられている。ハンドル軸４には、駆動軸筒６ａが、回り止めされて固定されている。駆動軸筒６ａには、ロータ２を巻き取り駆動するための内歯が形成されたドライブギヤ６が一体的に形成されている。このドライブギヤ６は、ハンドル軸４と直交する方向に延出するとともに内部に軸方向に延出する空洞部を有する回転軸８のピニオンギヤ８ａに噛合している。
【００２２】
回転軸８は、軸受を介して回転可能に支持されており、その空洞部には、ハンドル軸４と直交する方向に延出し、先端側にスプール３を取り付けたスプール軸９が、軸方向に移動可能に挿通され、支持されている。
【００２３】
また、回転軸８には、スプール軸９を前後動させるためのオシレーティング機構が係合している。このオシレーティング機構は、スプール軸９と平行に延出するトラバースカム軸１０と、このトラバースカム軸１０の外周面に形成された螺旋溝１０ａに係合するとともにスプール軸９の後端部にねじ止めして取り付けられた係合子１１とを有している。
トラバースカム軸１０の前端部には、回転軸８のピニオンギヤ８ａに噛合するギヤ１２が取り付けられている。これにより、ハンドル５の回転操作により、トラバースカム軸１０がピニオンギヤ８ａおよびギヤ１２を介して回転駆動されることで、スプール軸９は、螺旋溝１０ａに案内される係合子１１を介して前後動される。
【００２４】
回転軸８はスプール３側に向けて延出しており、その前端部において、ナット１３を介してロータ２が取り付けられている。また、回転軸８には、その中間部分に転がり式の一方向クラッチ２０が取り付けられており、リール本体１の外部に取り付けられている切換部材２１を回動操作することで、一方向クラッチ２０を作動状態と非作動状態とに切り換えるように構成されている。この場合、切換部材２１を作動状態に切り換えることで、ハンドル５（ロータ２）の逆転方向の回転（釣糸放出方向の回転）が防止されるようになっている。
【００２５】
ロータ２は、スプール３のスカート部３ａ内に位置する円筒部２ａと、一対の支持腕２ｂ，２ｃを具備している。各支持腕２ｂ，２ｃの前端部には、支持部材２ｄ，２ｅが釣糸巻き取り位置と釣糸放出位置との間で回動自在に支持されており、これらの支持部材２ｄ，２ｅ間には、放出状態にある釣糸をピックアップするベール２ｆが配設されている。ベール２ｆは、一方の基端部が支持部材２ｄに一体的に設けられた釣糸案内部２ｇに取り付けられており、他方の基端部が支持部材２ｅに取り付けられている。
【００２６】
スプール３は、スカート部３ａとフランジ３ｂとの間に図示しない釣糸が巻回される胴部３ｃを備えており、スプール軸９に図示しないドラグ機構を介して摩擦結合され、ノブ９ａを回動操作することでスプール３のドラグ力が調節される。
【００２７】
このような構成によって、ハンドル５を巻き取り操作することで、ロータ２がドライブギヤ６およびピニオンギヤ８ａを介して回転駆動され、かつスプール３がピニオンギヤ８ａおよびオシレーティング機構を介して前後動され、図示しない釣糸は、釣糸案内部２ｇを介してスプール３の胴部３ｃに均等に巻回される。
【００２８】
そして、支持部材２ｄ，２ｅは、支持腕２ｂに設けられた公知の振り分け機構３０によって、釣糸巻き取り位置（図３（ａ）参照）または釣糸放出位置（図３（ｂ）参照）に保持される。つまり、ベール２ｆとともに、支持部材２ｄ，２ｅを釣糸巻き取り位置から釣糸放出位置に回動操作すると、支持腕２ｂ内に配置した振り分け機構３０は、支持部材２ｄの回転軸を形成する取付ピン３１から偏心した位置に枢着ピン３２ａで係合部材３２が軸支されている。また、支持腕２ｂの内側底部に、内部に圧縮コイルばね３３を収容する有底筒体３３ａの一側に形成した軸部３３ｂが回動可能に軸支されており、係合部材３２は、係合部材３２の延長部３２ｂが圧縮コイルばね３３内に挿入されて延長部３２ｂの段部３２ｃで圧縮コイルばね３３を圧縮しつつ、取付ピン３１を中心として回動する。そして、取付ピン３１が圧縮コイルばね３３と同軸線上に配置されるデッドポイント位置を越えて枢着ピン３２ａが移動されると、圧縮コイルばね３３の付勢力が、枢着ピン３２ａおよび係合部材３２を介して支持部材２ｄを、取付ピン３１を中心として時計方向に回転させる。これにより、支持部材２ｄ，２ｅは、その回転軸（取付ピン３１）を中心として回転し、釣糸放出位置（図３（ｂ）参照）に保持される。
【００２９】
逆に、釣糸放出位置から、手動で支持部材２ｄを圧縮コイルばね３３の付勢力に抗して回動させ、枢着ピン３２ａが前記したデッドポイント位置を越えると、圧縮コイルばね３３がその付勢力で、取付ピン３１を中心として反時計方向に支持部材２ｄを回動させるように作用する。これにより、支持部材２ｄ，２ｅは、ベール２ｆとともに釣糸巻き取り位置（図３（ａ）参照）に復帰することができる。
このような圧縮コイルばね３３による付勢力は、支持腕２ｂから支持部材２ｄ、ベール２ｆ、支持部材２ｅを介して支持腕２ｃに伝わり、支持腕２ｃに設けられた規制部材６０に伝わる。つまり、圧縮コイルばね３３は、規制部材６０を変位可能とするための付勢力を付与する、弾発手段として機能するようになっている。なお、このような振り分け機構３０は、規制部材６０が設けられる支持腕２ｃ側に設けてもよい。
【００３０】
このような構成のスピニングリールにおいて、リール本体１およびロータ２には、支持部材２ｄ，２ｅを釣糸巻き取り位置から釣糸放出位置に回動させた際に、ロータ２の巻き取り方向への回転を規制するための第１，第２衝接手段としての第１，第２衝接部材４０，５０、および規制部材６０が設けられている。
以下、本実施形態における第１，第２衝接手段４０，５０および規制部材６０の構成を図４，図５を参照して説明する。
図４は釣糸巻き取り位置に回動したときの支持腕２ｃを示す部分断面図（一部切断）である。
【００３１】
初めに、ロータ２側に設けられる規制部材６０について説明する。図２に示すように、規制部材６０は、一方の支持腕２ｃ内に配設されており、支持部材２ｄ，２ｅの釣糸放出位置への揺動操作に連動してロータ２の回転を規制する位置に移動するように設けられた部材である。そのための構成として、規制部材６０は、図４に示すように、支持腕２ｃ内に延出するように棒状に構成されており、その一端側には外側に向けてボス６１が屈曲形成され、他端側には支持腕２ｃから円筒部２ａ内に入り込むようにしてボス（当接部）６２が屈曲形成されている。
【００３２】
支持腕２ｃに回動可能に支持された支持部材２ｅには、その回動支持部分の近傍に円弧状の長孔２ｅ1が形成されており、この長孔２ｅ1内に規制部材６０のボス６１が配置されている。また、支持腕２ｃの基端部には、規制部材６０の長手方向に延出する長孔２ｃ1が形成されており、この長孔２ｃ1内に規制部材６０のボス６２が配置されている。
【００３３】
このような規制部材６０は、他方の支持腕２ｂに設けられた振り分け機構３０を利用して、その圧縮コイルばね３３の付勢力に抗することで、後記する第１衝接部材４０を乗り越える際の変位が可能となるように構成されている。なお、規制部材６０が第１衝接部材４０を乗り越える際の作用は後記する。
【００３４】
第１衝接部材４０は、図５（ａ）（ｂ）に示すように、リール本体１側に一体的に突設されており、後記するように、ロータ２の巻き取り方向への回転により、規制位置に移動された規制部材６０のボス６２が衝接するように構成されている。そして第１衝接部材４０には、ロータ２の巻き取り方向への回転により規制部材６０のボス６２が衝接する側に、上り傾斜状の傾斜面４１が形成されている。これによって、規制部材６０のボス６２が衝接した際に、ロータ２に回転抵抗力が一時的に付与されるとともに、前記圧縮コイルばね３３による付勢力に抗して規制部材６０の変位が許容されて規制部材６０が乗り越え可能となっている。また、第１衝接部材４０は、図５（ｂ）に示すように、傾斜面４１に連続する平面４２と、この平面４２に連続する後面４３とを備えている。
【００３５】
第２衝接部材５０は、第１衝接部材４０の釣糸巻き取り方向下流側の近傍に間隔を隔ててリール本体１側に一体的に突設されており、第１衝接部材４０を乗り越えて弾性的に復元した規制部材６０が衝接してロータ２の巻き取り方向への回転を規制するようになっている。第２衝接部材５０は、図５（ｂ）に示すように、前面５１と、この前面５１に連続する平面５２と、この平面５２に連続する後面５３とを備えている。
【００３６】
第１衝接部材４０と第２衝接部材５０との間は、規制部材６０の復元方向に段差状にずれた形態とされて凹状に形成されており、この凹状とされた部分に第１衝接部材４０を乗り越えて弾性的に復元した規制部材６０が当接する平らな規制部材受け面４５が設けられている。この規制部材受け面４５は、釣糸巻き取り方向下流側が第２衝接部材５０の前面５１に連続しており、また、釣糸巻き取り方向上流側が第１衝接部材４０の後面４３に連続している。すなわち、規制部材受け面４５に規制部材６０のボス６２が位置した状態で、第２衝接部材５０がロータ２の釣糸巻き取り方向の回転を規制するとともに、第１衝接部材４０がロータ２の釣糸放出方向の回転を規制する構成となっている。
【００３７】
ここで、このような第１衝接部材４０、第２衝接部材５０と規制部材６０との位置関係について説明する。
【００３８】
図４に示すように、支持部材２ｅが釣糸巻き取り位置に回動された状態にあるとき、一端のボス６１は長孔２ｅ1の後端部２ｅｂにあり、また、他端のボス６２は長孔２ｃ1の前端部２ｃｆに位置している。このとき、ボス６２は、図６（ａ）（ｂ）に示すように、リール本体１側の第１衝接部材４０および第２衝接部材５０のいずれとも干渉しない位置にある。つまり、ロータ２を回転させても、ボス６２は、第１衝接部材４０および第２衝接部材５０に衝接しないようになっている。
【００３９】
そして、図７（ａ）に示すように、ベール２ｆおよび支持部材２ｄ，２ｅ（支持部材２ｅのみ図示、以下同じ）が、釣糸放出位置に回動された状態にあるとき、長孔２ｅ1の前端部２ｅｆに一端のボス６１が係合し、規制部材６０は他端のボス６２側へ向けて移動される。また、最終的にベール２ｆおよび支持部材２ｄ，２ｅが釣糸放出位置に回動されると、他端のボス６２は、図７（ａ）に示すように、長孔２ｃ1の後端部２ｃｂ側に位置する。このとき、ボス６２は、図７（ｂ）（ｃ）に示すように、第１衝接部材４０と干渉する位置に移動する。
【００４０】
ここで、ロータ２が釣糸巻き取り方向に回転され、図８（ｂ）（ｃ）に示すように、ボス６２が第１衝接部材４０の傾斜面４１に衝接すると、その衝接によってロータ２に回転抵抗力が一時的に付与されるとともに、圧縮コイルばね３３（図３（ｂ）参照）の付勢力に抗して規制部材６０の変位が許容され、規制部材６０が第１衝接部材４０を乗り越え可能となる（図１０（ａ）参照）。このとき、図８（ａ）（ｄ）に実線で示すように、釣糸巻き取り方向へ支持部材２ｄ，２ｅが若干戻されつつ、規制部材６０の変位が許容される。つまり、取付ピン３１が圧縮コイルばね３３と同軸線上に配置されるデッドポイント位置を越えることはない（図２（ｂ）参照）。
【００４１】
また、規制部材６０のボス６２が第１衝接部材４０を乗り越えた後は、図９（ｂ）（ｃ）に示すように、規制部材６０が弾性的に復元して、規制部材６０のボス６２が規制部材受け面４５に当接しつつ第２衝接部材５０の前面５１に衝接する。これによって、ロータ２の巻き取り方向への回転が規制される状態とされる（図９（ａ），図１０（ｂ）参照）。
【００４２】
このような構成を備えたスピニングリールにおいて、ロータ２の回転を規制する位置、つまり、第１衝接部材４０および第２衝接部材５０を形成しておく位置は任意であるが、図１０（ａ），（ｂ）に示すような所定位置、すなわち、仕掛け投擲時において、ベール２ｆおよび支持部材２ｄ，２ｅを釣糸放出位置に回動した際、釣糸案内部２ｇが最上方領域で回転規制されるような位置（本実施形態では、脚部１Ａと反対側となる位置）に形成しておくことが望ましい。
【００４３】
次に、以上のような構成を備えたスピニングリールの作用について説明する。
仕掛けを投擲するに際して、ベール２ｆおよび支持部材２ｄ，２ｅを図４に示す釣糸巻き取り位置から図７（ａ）に示す釣糸放出位置に回動すると、規制部材６０は、ボス６１が長孔２ｅ1の前端部２ｅｆに当接し、ボス６２側へ摺動されて、図７（ｂ）（ｃ）に示す位置にボス６２が移動される。これによりボス６２は、第１衝接部材４０にと衝接可能な位置に入り込む。
【００４４】
そして、ロータ２を釣糸巻き取り方向に回転操作すると、図８（ｂ）（ｃ）に示すように、規制部材６０のボス６２が第１衝接部材４０の傾斜面４１の衝接し、その衝接によって、ロータ２に回転抵抗力が一時的に付与される。そして、さらに、ロータ２が釣糸巻き取り方向に回転されると、ボス６２が第１衝接部材４０の傾斜面４１に衝接しつつ圧縮コイルばね３３（図３（ｂ）参照）による付勢力に抗して規制部材６０の変位が許容されて規制部材６０が第１衝接部材４０を乗り越えはじめる（図１０（ａ）参照）。これにより、ロータ２が第２衝接部材５０による回転規制位置に近づいたことが、規制部材６０と第１衝接部材４０との衝接、およびこれを乗り越えるときの回転抵抗力によって、ロータ２を回転操作している手を伝わって操作者に体感的に伝えられる。
【００４５】
その後、規制部材６０のボス６２が第１衝接部材４０を乗り越えると、図９（ｂ）（ｃ）に示すように、規制部材６０が弾性的に復元して、規制部材６０のボス６２が規制部材受け面４５に当接しつつ第２衝接部材５０の前面５１に衝接する。これによって、ロータ２が第２衝接部材５０まで回転して回転規制位置に来たことが規制部材６０と第２衝接部材５０との衝接により、ロータ２を回転操作している手を伝わって操作者に体感的に伝えられる。したがって、回転規制位置で容易にロータ２の巻き取り方向への回転を止めることができる。
【００４６】
このとき、規制部材６０のボス６２が規制部材受け面４５に弾性的に復元しつつ当接することとなるので、その規制部材６０の当接によって節度感のある音が発せられたり弾性振動が生じたりすることとなり、その音や振動をもって規制部材６０が回転規制位置に来たことを操作者に報知することができる。
【００４７】
ところで、ロータ２は、転がり式の一方向クラッチ２０によって逆転方向（釣糸放出方向）の回転が阻止されているため、ベール２ｆおよび支持部材２ｄ，２ｅを釣糸放出位置に回動する際には、正転方向（釣糸巻き取り方向）にのみ回転可能となっている。したがって、ロータ２を回転操作すると、規制部材６０のボス６２が第２衝接部材５０に衝接し、これにより、ロータ２は正転方向への回転も規制されてしまい、正逆転不能状態となる。これによって、投擲時のロータ２の不用意な回転を規制することができる。
【００４８】
これによって、仕掛けを投擲する際には、転がり式一方向クラッチ２０の逆転防止作用、および第２衝接部材５０に規制部材６０が衝接されることによる正転防止作用により、ロータ２は、正逆転いずれの回転方向にもガタ付きや異音が生じない状態で固定される。したがって、図示しない釣竿を勢いよくスイングしても、ロータ２（ハンドル５）は全くガタ付かないことから、振動等によってベール２ｆおよび支持部材２ｄ，２ｅが振り落ちることや、スイング時の慣性等によってベール２ｆおよび支持部材２ｄ，２ｅが振り落ちることがなくなり、キャスティングに集中することができる。これによって、投擲距離を安定して伸ばすことも可能となる。
【００４９】
そして、仕掛け投擲後に、ベール２ｆおよび支持部材２ｄ，２ｅを図４に示す釣糸巻き取り位置に回動させると、図６（ａ）（ｂ）に示すように、ボス６２は、第１衝接部材４０および第２衝接部材５０と干渉しない位置に移動されるため、ロータ２は自由回転可能な状態となる。
【００５０】
以上説明した本実施形態のスピニングリールによれば、ベール２ｆおよび支持部材２ｄ，２ｅを釣糸放出位置へ揺動操作してロータ２を巻き取り方向へ回転させると、第２衝接部材５０に規制部材６０のボス６２が衝接する前の段階で、第１衝接部材４０にボス６２が衝接することとなり、また、これを乗り越える際に一時的な回転抵抗力が付与されることとなるので、操作者は、第２衝接部材５０にロータ２が近づいたことを容易に認識することができる。したがって、第２衝接部材５０に規制部材６０のボス６２が衝接する回転規制位置で、容易にロータ２の巻き取り方向への回転を止めることができる。これにより、一方向クラッチ２０による逆転防止作用と相俟って、ロータ２を位置規制することができ、投擲時のロータ２の不用意な回転を規制することができる。
これによって、投擲時の操作性の向上を図ることができるスピニングリールが得られる。
また、釣糸のピックアップが可能となる位置と、第２衝接部材５０に規制部材６０のボス６２が衝接する位置とを対応させることにより、投擲時の操作性をより向上することができる。
【００５１】
また、第２衝接部材５０に規制部材６０のボス６２が衝接して回転規制位置に確実にロータ２を停止させることができるので、従来のように、ロータ２の回転操作をやり直して再度確認する等の煩雑な操作を繰り返す必要もない。したがって、投擲時の操作性を向上させることができる。
【００５２】
また、規制部材６０は第１衝接部材４０を乗り越えて弾性的に復元し、第２衝接部材５０に衝接する構成であるので、復元した後は、規制部材６０が第１衝接部材４０と第２衝接部材５０との間に好適に保持される状態となり、従来のように、実釣り時に、ロータ２を釣糸放出方向に回転させながら竿先からの仕掛けの垂らし長さを調節した後に、例えば、一方向クラッチ２０を作動させずに、投擲を行っても、不用意にロータ２が釣糸放出方向へ逆転してしまうことがなくなる。したがって、操作者の不注意な投擲に対してもリール本体１側の第１衝接部材４０，第２衝接部材５０や、ロータ２側の規制部材６０等が損傷することがなく、投擲時の操作性に優れたスピニングリールが得られる。
【００５３】
また、第１衝接部材４０と第２衝接部材５０との間に、規制部材受け面４５が設けられており、第１衝接部材４０を乗り越えて弾性的に復元した規制部材６０のボス６２が規制部材受け面４５に当接する構成であるので、そのボス６２の当接によって節度感のある音が発せられたり弾性振動が生じたりすることとなり、その音や振動をもって規制部材６０のボス６２が回転規制位置に来たことを操作者に報知することができる。したがって、操作者は、規制部材６０のボス６２が回転規制位置に来たことを確実に認識することができ、投擲時の操作性に優れたスピニングリールが得られる。また、音や振動をもって認識することができるので、手元をいちいち目視せずに操作することが可能となり、投擲時の操作性がより向上するようになる。
【００５４】
また、規制部材受け面４５に規制部材６０のボス６２が位置した状態で、第２衝接部材５０がロータ２の釣糸巻き取り方向の回転を規制するとともに、第１衝接部材４０がロータ２の釣糸放出方向の回転を規制するので、規制部材６０が弾性的に復元した後は、第１衝接部材４０と第２衝接部材５０との間に規制部材６０のボス６２が確実に保持されることとなり、例えば、一方向クラッチ２０を作動させずに、投擲を行っても、不用意にロータ２が釣糸放出方向へ逆転してしまうことがより確実に防止される。したがって、操作者の不注意な投擲に対してもリール本体１側の第１衝接部材４０，第２衝接部材５０や、ロータ２側の規制部材６０等が損傷することがより確実に防止され、投擲時の操作性により一層優れたスピニングリールが得られる。
【００５５】
図１１（ａ）〜（ｃ）は本実施形態のスピニングリールの変形例を示す図である。図１１（ａ）に示す変形例は、第２衝接部材５０Ａをリール本体１と別体に設けた例である。第２衝接部材５０Ａは、前面５１Ａおよび後面５３Ａが傾斜面とされており、リール本体１に設けられた溝部１ａに直接嵌め込まれることでリール本体１に取り付けられている。なお、第２衝接部材５０Ａは、図示しない固定ねじ等を用いてリール本体１に取り付けることも可能である。このような構成とすることによって、メンテナンス等の際に第２衝接部材５０Ａを単品で交換することも可能となる。また、リール本体１とは異なる材質で第２衝接部材５０Ａを形成することで、耐久性等を向上させることも可能となる。
また、図１１（ｂ）に示す変形例は、第１衝接部材４０Ｂおよび第２衝接部材５０Ｂをリール本体１とは別体に設けた例である。この例では、第１衝接部材４０Ｂおよび第２衝接部材５０Ｂが一つの部材からなり、これらの間に規制部材受け面４５Ｂが形成されている。
さらに、図１１（ｃ）に示す変形例は、図１１（ｂ）に示した例のさらなる変形であり、図１１（ｂ）に示した例よりも、第１衝接部材４０Ｂおよび第２衝接部材５０Ｂの突設高さを低く形成してある。この例では、第１衝接部材４０Ｂおよび第２衝接部材５０Ｂの突設高さが低くされた分、規制部材６０のボス６２が衝接した際の乗り越えが容易となり、衝接による損傷等を好適に回避することができる。
【００５６】
また、図１２（ａ）に示すように、第１衝接部材４０Ｃを別体で構成するとともに、これをリール本体１にスプリング４４を介して取り付け、このスプリング４４の付勢力をもって規制部材６０のボス６２に第１衝接部材４０Ｃを衝接させることで、ロータ２に一時的な回転抵抗力を付与するように構成してもよい。このような構成とすることにより、スプリング４４の付勢力によって所望の回転抵抗力を容易に設定することができ、投擲時の操作性に優れたスピニングリールが得られる。
【００５７】
図１３は本実施形態のスピニングリールのその他の変形例を示す図であり、（ａ）はスプールの拡大側面図、（ｂ）は拡大断面図である。
この変形例では、スプール３の胴部３０２に切欠部３０２ａ，３０２ｂが設けられており、この切欠部３０２ａ，３０２ｂによってスプール３の軽量化を図っている。
【００５８】
スプール３は、前側フランジ部３０１と、釣糸を巻回する胴部３０２と、後側フランジ部３０３と、スカート部３０４とを備えており、胴部３０２には、四角形状の２つの切欠部３０２ａ（一つのみ図示）と、この切欠部３０２ａよりも大きく切り欠かれた四角形状の２つの切欠部３０２ｂが形成されている。胴部３０２には、これらの計４つの切欠部３０２ａ，３０２ｂを覆う状態に、円筒状に覆設材３０５が設けられて、別体のスカート部３０４を胴部３０２に螺合することで固定されている。この覆設材３０５としては、耐熱性および耐摩耗性等に優れた材料、例えば、カーボン等の強化繊維にポリエステル等を混入したものや樹脂等を硬化した基板にカーボン織布を貼着したもの等を使用することができる。
【００５９】
スプール軸９の先側には、回り止め部９ｂと、ねじ部９ｃとが形成されており、スプール軸９の周り止め部９ｂに、スプール３の前側フランジ部３０１の周り止め部３０１ａが嵌合され、図示しない溝に抜け止めリング３０６が嵌合され、さらに、ねじ部９ｃにノブ９ａが螺合されて、スプール軸９にスプール３が回り止め固定されている。
【００６０】
このようなスプール３を備えたスピニングリールによれば、胴部３０２に切欠部３０２ａ，３０２ｂが形成されているので、軽量化を図ることができ、投擲時の操作性に優れているという利点が得られる。特に、軽量化によって、遠投用に好適なスピニングリールが得られる。なお、この例では、スプール３の胴部３０２の形状を前部側へ向けて窄まるテーパー状として示したが、これに限られることはなく、後部側へ向けて窄まるテーパー状としてもよい。
【００６１】
また、スプール３は、図１４（ａ）（ｂ）に示すように、前側フランジ部３０１と後側フランジ部３０３とを分離して設けて、これらの間を、円筒状の覆設材３０５で連結して設けてもよい。つまり、この構成では、図１３（ｂ）に示したような胴部３０２を排除することができ、前側フランジ部３０１と後側フランジ部３０３との間を覆設材３０５で直接連結することで、胴部３０２が排除された分、より一層の軽量化を図ることができる。なお、この構成では、後側フランジ部３０３にスカート部３０４ａが一体的に設けられており、これを別体としたときに比べて組立工数が削減されるようになっている。
【図面の簡単な説明】
【００６２】
【図１】本発明の一実施形態に係る魚釣用スピニングリールとしてのスピニングリールの全体構成を示す図である。
【図２】主要部の構成を示した部分断面図である。
【図３】（ａ）は釣糸巻き取り位置の支持腕の様子を示した断面図、（ｂ）は釣糸放出位置の支持腕の様子を示した断面図である。
【図４】釣糸巻き取り位置における規制部材の様子を示した断面図である。
【図５】（ａ）はスプールを取外した状態のリール本体の前部を示す正面図、（ｂ）は第１衝接部材および第２衝接部材を示す断面図である。
【図６】（ａ）は図４のａ−ａ線に沿う拡大断面図、（ｂ）は図６（ａ）のｂ−ｂ線に沿う断面図である。
【図７】（ａ）は釣糸放出位置における規制部材の様子を示した断面図、（ｂ）は図７（ａ）のｂ１−ｂ１線に沿う拡大断面図、（ｃ）は図７（ｂ）のｃ１−ｃ１線に沿う断面図である。
【図８】（ａ）は釣糸放出位置において規制部材が第１衝接部材を乗り越えるときの様子を示した断面図、（ｂ）は図８（ａ）のｂ２−ｂ２線に沿う拡大断面図、（ｃ）は図８（ｂ）のｃ２−ｃ２線に沿う断面図、（ｄ）は他の支持腕の様子を示す断面図である。
【図９】（ａ）は釣糸放出位置において規制部材が第２衝接部材に衝接したときの様子を示した断面図、（ｂ）は図９（ａ）のｂ３−ｂ３線に沿う拡大断面図、（ｃ）は図９（ｂ）のｃ３−ｃ３線に沿う断面図である。
【図１０】（ａ）（ｂ）は作用説明図である。
【図１１】（ａ）〜（ｃ）は本実施形態の魚釣用スピニングリールの変形例を示す図である。
【図１２】（ａ）（ｂ）は本実施形態の魚釣用スピニングリールの変形例を示す図である。
【図１３】本実施形態の魚釣用スピニングリールのその他の変形例を示す図であり、（ａ）はスプールの拡大側面図、（ｂ）は拡大断面図である。
【図１４】同じくその他の変形例を示す図であり、（ａ）はスプールの拡大側面図、（ｂ）は拡大断面図である。
【符号の説明】
【００６３】
１      リール本体
２      ロータ
２ｂ，２ｃ    支持腕
２ｄ，２ｅ    支持部材
２ｆ    ベール
２ｇ    釣糸案内部
３      スプール
３ｂ    フランジ
３ｃ    胴部
２０    一方向クラッチ
４０    第１衝接部材（第１衝接手段）
４０Ｂ，４０Ｃ  第１衝接部材
４１    傾斜面
４５    規制部材受け面
４５Ｂ  規制部材受け面
５０    第２衝接部材（第２衝接部材）
５０Ａ，５０Ｂ  第２衝接部材
６０    規制部材
６２    ボス
３０１  前側フランジ部
３０２  胴部
３０２ａ，３０２ｂ  切欠部
３０３  後側フランジ部
３０５  覆設材
【図１】
2008237131.tif 000003
【図２】
2008237131.tif 000004
【図３】
2008237131.tif 000005
【図４】
2008237131.tif 000006
【図５】
2008237131.tif 000007
【図６】
2008237131.tif 000008
【図７】
2008237131.tif 000009
【図８】
2008237131.tif 000010
【図９】
2008237131.tif 000011
【図１０】
2008237131.tif 000012
【図１１】
2008237131.tif 000013
【図１２】
2008237131.tif 000014
【図１３】
2008237131.tif 000015
【図１４】
2008237131.tif 000016